(57)【特許請求の範囲】
【請求項１】
回路基板を内蔵し、端部に回転部材取り付け部を形成した板状の第１の筐体部と、
撮像部を有し、前記第１の筐体部における回転部材取り付け部に取り付けられ、前記第１の筐体部の主表面と直行する回動軸を中心にして回動する回転部材と、
主表面に表示画面を有し、前記回転部材の回動軸と直行する回動軸を中心にして回動するように端部が前記回転部材に取り付けられ、一方の回動端に達したときに前記第１の筐体部の主表面と自身の主表面とが密接する板状の第２の筐体部と
を備えたことを特徴とする電子カメラ装置。
【請求項２】
主表面上において撮像部が突出した状態で収納されている板状の第１の筐体部と、
主表面に表示画面を有し、前記第１の筐体部と回動可能に連結され、前記第１の筐体部の突出部分に対応する位置に凹部が形成されている第２の筐体部と
からなり、
前記回動可能な範囲の一方の回動端に達したときに、前記第１の筐体部の突出部分が前記第２の筐体部の凹部に収容され、前記両筐体部の主表面同士が密接する
ことを特徴とする電子カメラ装置。
【発明の詳細な説明】
【０００１】
【発明の属する技術分野】
本発明は、液晶表示画面付きの電子カメラ装置に関するものである。
【０００２】
【従来の技術】
電子カメラの一つとして、撮影レンズ及びＣＣＤ（Ｃｈａｒｇｅ  Ｃｏｕｐｌｅｄ  Ｄｅｖｉｃｅ：固体撮像素子）を備え、さらに、液晶表示装置（Ｌｉｑｕｉｄ  Ｃｒｙｓｔａｌ  Ｄｉｓｐｌａｙ、以下、ＬＣＤと呼ぶ）による画像記録時におけるビューファインダー及び画像再生時におけるモニター兼用のＬＣＤ画面を備えたＬＣＤ付きデジタルスチルカメラがある。
また、ビデオカメラとして、ビューファインダー及びモニター兼用のＬＣＤ画面を備えたものもある。
このようなＬＣＤ画面付きの電子カメラにおいて、従来から、そのＬＣＤ画面の表面反射を防ぐために、透明カバー等の画面カバーが設けられていない。
【０００３】
【発明が解決しようとする課題】
従って、ＬＣＤ画面付きの電子カメラは、その携帯時にＬＣＤ画面に傷が付いてしまうことがあり、ＬＣＤ画面が大きければ、その傾向が顕著になってしまうという解決すべき課題があった。
【０００４】
本発明の課題は、ＬＣＤ画面付きの電子カメラ装置において、携帯時におけるＬＣＤ画面の保護が図れるとともに、撮像時の使い易さも具備して、ＬＣＤ画面の大型化も可能とすることである。
【０００５】
【課題を解決するための手段】
以上の課題を解決すべく請求項１記載の発明は、回路基板を内蔵し、端部に回転部材取り付け部を形成した板状の第１の筐体部と、撮像部を有し、前記第１の筐体部における回転部材取り付け部に取り付けられ、前記第１の筐体部の主表面と直行する回動軸を中心にして回動する回転部材と、主表面に表示画面を有し、前記回転部材の回動軸と直行する回動軸を中心にして回動するように端部が前記回転部材に取り付けられ、一方の回動端に達したときに前記第１の筐体部の主表面と自身の主表面とが密接する板状の第２の筐体部とを備えたことを特徴としている。
【０００７】
また、請求項２記載の発明は、主表面上において撮像部が突出した状態で収納されている板状の第１の筐体部と、主表面に表示画面を有し、前記第１の筐体部と回動可能に連結され、前記第１の筐体部の突出部分に対応する位置に凹部が形成されている第２の筐体部とからなり、前記回動可能な範囲の一方の回動端に達したときに、前記第１の筐体部の突出部分が前記第２の筐体部の凹部に収容され、前記両筐体部の主表面同士が密接することを特徴としている。
【００１２】
【発明の実施の形態】
以下に、本発明に係る電子カメラ装置の実施の各形態例を図１から図９に基づいて説明する。
【００１３】
＜第１の実施の形態例＞
先ず、図１は本発明を適用した電子カメラ装置の第１の実施の形態例としての折り畳み式のＬＣＤ付きデジタルスチルカメラを示すもので、携帯用の折り畳み状態を示した正面図である。また、図２は図１のＬＣＤ付きデジタルスチルカメラを周囲から見た状態を示すもので、図２（ａ）は図１の矢印Ａ方向から示した上面図、図２（ｂ）は図１の矢印Ｂ方向から示した側面図、図２（ｃ）は図１の矢印Ｃ方向から示した下面図である。そして、図３は図１のＬＣＤ付きデジタルスチルカメラによる撮像時の展開状態を示した側面図である。
これらの図１から図３において、１はＬＣＤ付きデジタルスチルカメラ（電子カメラ装置）、２は本体部、３は画面部、４は円形固定部、５は円形回転部、６はヒンジピン（ヒンジ部）、７はシャッターボタン、８は再生ボタン、９は録画ボタン、１１は電源入スイッチ、１２は電源切スイッチ、１３はダウンボタン、１４はアップボタン、１５は電話端子、１６はライン端子、１７はビデオ出力端子、１８はデジタル端子、１９は直流電源入力端子、２０は撮像部、２１は撮影レンズ、２２はＣＣＤ、２３はＬＣＤ画面である。
【００１４】
この実施の形態例において、ＬＣＤ付きデジタルスチルカメラ１は、本体部２に対し画面部３を折り畳み式で回転式としたものである。
即ち、本体部２は、図１及び図２に示されるように、そのボックス状ケースの上部中央に円形固定部４を備えて、この円形固定部４の一面側に円形回転部５を回転自在に備えている。
この円形回転部５の周囲に対して、本体部２より薄型のボックス状ケースによる画面部３の上部中央の半円形凹部の左右が、ヒンジ部であるヒンジピン６，６を介して連結されている。
従って、画面部３は、本体部２に対しヒンジピン６，６を介して円形回転部５により回転自在に組み付けられるとともに、ヒンジピン６，６を支点として１８０°の角度範囲で展開及び折り畳み自在となっている。
【００１５】
以上において、本体部２には、図２（ａ）に示すように、シャッターボタン７、再生ボタン８、録画ボタン９、電源入スイッチ１１、電源切スイッチ１２、ダウンボタン１３及びアップボタン１４が上面部に設けられて、図２（ｂ）に示すように、電話端子１５、ライン端子１６、ビデオ出力端子１７、デジタル端子１８及び直流電源入力端子１９が一側面部に設けられている。
また、円形回転部５の表面には、図１に示すように、撮像部２０が設けられており、この撮像部２０は、撮影レンズ２１及びＣＣＤ２２からなるものである。そして、画面部３には、図１、図２（ｂ）及び（ｃ）に示すように、ＬＣＤ画面２３が設けられており、このＬＣＤ画面２３は、画面部３の一面側に露出している。
【００１６】
なお、本体部２内には、図示しない回路基板が配設されていて、この回路基板には、ＣＰＵ（Ｃｅｎｔｒａｌ  Ｐｒｏｃｅｓｓｉｎｇ  Ｕｎｉｔ：中央処理装置）４１（図４参照）と、ＬＳＩ（Ｌａｒｇｅ  Ｓｃａｌｅ  Ｉｎｔｅｇｒａｔｉｏｎ：大規模集積回路）等の他の各種電子部品が集中して実装されている。
また、本体部２の他側面部や下面部あるいは背面部等には、図示しないファンクション切替キー２４（図４参照）や、無線通信機能部としてのＩｒＤＡ（Ｉｎｆｒａｒｅｄ  Ｄａｔａ  Ａｓｓｏｃｉａｔｉｏｎ：赤外線通信の標準規格制定団体）に基づく赤外線通信機能部２５（図４参照）も設けられている。
ここで、このＩｒＤＡに基づく赤外線通信機能部２５は、ＬＣＤ付きデジタルスチルカメラ１とパソコンのインターフェイスに用いられる手段として機能する赤外線通信手段である。このＩｒＤＡで定められている赤外線通信の規格では、低出力で、中心角１５°の指向型、１ｍまでの短距離、と通信可能な範囲が限られている。
【００１７】
次に、以上のＬＣＤ付きデジタルスチルカメラ１による画像処理について説明する。
図４はＬＣＤ付きデジタルスチルカメラ１による画像処理の制御回路の一例を示したブロック構成図である。
この図４において、前述したＩｒＤＡに基づく赤外線通信機能部２５、ＣＣＤ２２及びその駆動回路（Ｄｒｉｖｅｒ）３２が設けられ、ＬＣＤ画面２３、ＣＰＵ４１、Ｒ０Ｍ４２、ＲＡＭ４３、入出力ポート（Ｉ／Ｏ  Ｐｏｒｔ）４４、ＤＲＡＭ４５、フラッシュメモリ４６、Ａ／Ｄ変換器４７、ＴＧ４８、圧縮／伸張部５１、ＳＧ５２、ＶＲＡＭ５３、Ｄ／Ａ変換器５４が設けられている。
【００１８】
即ち、撮像部２０のＣＣＤ２２は、映像信号を電気信号に変換して出力するもので、駆動回路（Ｄｒｉｖｅｒ）３２により駆動される。
駆動回路（Ｄｒｉｖｅｒ）３２は、ＴＧ４８からのタイミング信号に基づいてＣＣＤ３１を駆動する。
そして、ＣＰＵ４１は、Ｒ０Ｍ（Ｒｅａｄ  Ｏｎｌｙ  Ｍｅｍｏｒｙ）４２内のプログラムに基づいて動作するものであり、ＲＡＭ（Ｒａｎｄｏｍ  Ａｃｃｅｓｓ  Ｍｅｍｏｒｙ）４３をワークＲＡＭとして使用して、キー７，２４からの入力に基づいて各部を制御する。
入出力ポート（Ｉ／Ｏ  Ｐｏｒｔ）４４は、シリアル信号に変換された映像信号等を入出力するインターフェースである。
ＤＲＡＭ（Ｄｙｎａｍｉｃ−ＲＡＭ）４５は、取り込んだデジタル映像信号を一時記憶するメモリである。
フラッシュメモリ４６は、圧縮／伸張部５１で圧縮された映像信号を格納しておくメモリである。
【００１９】
また、Ａ／Ｄ変換器４７は、ＣＣＤ２２からのアナログ信号をデジタル信号に変換する。
ＴＧ（Ｔｉｍｍｉｎｇ  Ｇｅｎｅｒａｔｅｒ）４８は、ＣＣＤ２２を駆動する駆動回路（Ｄｒｉｖｅｒ）３２を制御するタイミング信号を発生する。
圧縮／伸張部５１は、取り込んだデジタル映像信号を符号化／復号化により圧縮／伸張処理をする。
ＳＧ（Ｓｉｇｎａｌ  Ｇｅｎｅｒａｔｅｒ）５２は、デジタル映像信号に同期信号等を付加して、デジタルビデオ信号を作成する。
ＶＲＡＭ（Ｖｉｄｅｏ−ＲＡＭ）５３は、デジタルビデオ信号を記憶するメモリである。
Ｄ／Ａ変換器５４は、ＳＧ５２から出力されたデジタルビデオ信号をアナログ信号に変換する。
そして、ＬＣＤ画面２３は、アンプを介して入力されたアナログビデオ信号に基づいて液晶を駆動して映像を表示する。
【００２０】
次に、以上の動作について説明する。
フラッシュメモリ４６への記録時には、前記シャッターボタン７の押し操作により映像取り込みキーが操作されると、ＣＰＵ４１が、ＴＧ４８に映像取り込み信号を発生して、ＣＣＤ３１から映像を取り込み、ＤＲＡＭ４５に一旦記憶させる。
そして、ＣＰＵ４１は、このＤＲＡＭ４５に記憶させた映像信号に対して色演算処理をして、映像信号から輝度信号と色信号を作成する。
さらに、ＣＰＵ４１は、その輝度信号と色信号を圧縮／伸張部５１に転送することにより、輝度信号と色信号をデータ圧縮させ、フラッシュメモリ４６に記憶する。
【００２１】
また、映像信号再生時には、前記ファンクション切替キー２４のスライド操作により再生キーが操作されると、ＣＰＵ４１が、フラッシュメモリ４６から所定の圧縮映像信号（圧縮輝度信号と色信号）を読み出して、圧縮／伸張部５１に転送する。
そして、ＣＰＵ４１は、この圧縮／伸張部５１で伸張された輝度信号と色信号とをＳＧ５２に転送することにより、このＳＧ５２によりビデオ信号に変換されて、ＬＣＤ画面２３に映像が表示される。
なお、ＣＰＵ４１は、図示しないパソコン等の外部機器との間において、前述したＩｒＤＡに基づく赤外線通信機能部２５により、画像信号の送受信を可能としている。
【００２２】
以上のような構成のＬＣＤ付きデジタルスチルカメラ１によれば、携帯時には、図１及び図２に示すように、本体部２の円形回転部５に対しヒンジピン６，６を支点として画面部３を折り畳むことで、画面部３のＬＣＤ画面２３側が本体部２と対面して重なり合った折り畳み状態となるため、ＬＣＤ画面２３に傷が付かないように保護することができる。
そして、撮像時には、図３に示すように、携帯用の折り畳み状態から本体部２の円形回転部５に対しヒンジピン６，６を支点として画面部３を９０°起こして（図示仮想線参照）、本体部の円形固定部４に対し円形回転部５を１８０°回転させて（図示仮想線参照）から、その円形回転部５に対しヒンジピン６，６を支点として画面部３を９０°倒すことで、円形回転部５の撮像部２０に対しその上方において、図示実線状態のように、背面側にＬＣＤ画面２３が向いた状態で本体部２及び画面部３が展開状態となるため、ＬＣＤ画面２３をビューファインダーとして見ながら撮像部２０により撮影が行えて、使い易いものとなっている。
【００２３】
しかも、撮像部２０については、折り畳み構造部に含まないことから、撮像部２０のバックフォーカス、即ち、撮影レンズ２１とＣＣＤ２２の距離を確保することができる。
さらに、以上の通り、携帯時に傷が付かないようにＬＣＤ画面２３を保護しながら本体部２に対し画面部３を折り畳み自在とした構成によって、ＬＣＤ画面２３の大型化も実現できるものとなる。
また、本体部２及び画面部３を折り畳めることから、携帯時の小型化が図れて、携帯性に優れたものとなる。
【００２４】
＜第２の実施の形態例＞
図５は本発明を適用した電子カメラ装置の第２の実施の形態例としての折り畳み式のＬＣＤ付きデジタルスチルカメラを示すもので、折り畳み状態から展開した状態を示した正面図である。また、図６は図５のＬＣＤ付きデジタルスチルカメラを周囲から見た状態を示すもので、図６（ａ）は図５の矢印Ａ方向から示した側面図、図６（ｂ）は図５の矢印Ｂ方向から示した下面図である。さらに、図７は図５の矢印Ｃ−Ｃ線に沿った概略断面図で、図８は図５の矢印Ｄ−Ｄ線に沿った概略断面図である。そして、図９は図５のＬＣＤ付きデジタルスチルカメラによる撮像時の折り畳み状態を示した側面図である。
これらの図５から図９において、６１はＬＣＤ付きデジタルスチルカメラ（電子カメラ装置）、６２は本体部、６３は画面部、６４はヒンジ部、６５は撮像部、６６は撮影レンズ、６７はＣＣＤ、６８はマイク、６９はスピーカー、７１はＬＣＤ画面、７２は電源スイッチ、７３はシャッターボタン、７４はメモリーボタン、７５はリプレイボタン、７６は撮像部収容凹部である。
【００２５】
この実施の形態例において、ＬＣＤ付きデジタルスチルカメラ６１は、本体部６２に対し画面部６３を折り畳み式としたものである。
即ち、本体部６２と画面部６３は、図５及び図６に示されるように、ほぼ同じ形状のボックス状ケースの一端面部において、２本の円柱部を平行に並べた一体形状のヒンジ部６４を介して連結されている。
従って、画面部６３は、本体部６２に対しヒンジ部６４の一方の円柱部を支点としてほぼ３６０°の角度範囲で折り畳み自在となっており、逆に、本体部６２も、画面部６３に対しヒンジ部６４の他方の円柱部を支点としてほぼ３６０°の角度範囲で折り畳み自在となっている。
【００２６】
そして、本体部６２には、図５から図８に示すように、画面部６３を開いた展開状態において、その一面側の一側部に、滑らかな膨出形状の撮像部６５を備えており、この撮像部６５は、撮影レンズ６６及びＣＣＤ６７からなるものである。
さらに、本体部６２の撮像部６５を備えた面側には、マイク６８及びスピーカー６９が設けられている。
また、画面部６３には、本体部６２の撮像部６５を備えた面側と折り畳み状態で重なり合う面側に、例えば、４インチのＬＣＤ画面７１が露出して設けられている。
【００２７】
さらに、画面部６３には、ＬＣＤ画面７１を備えた面の一側部に電源スイッチ７２が設けられ、また、一側面にシャッターボタン７３、メモリーボタン７４及びリプレイボタン７５が設けられている。
また、画面部６３のＬＣＤ画面７１を備えた面の一側部には、折り畳んで本体部６２と重ね合わせた状態において、その膨出形状の撮像部６５を収容する撮像部収容凹部７６が形成されている。
なお、以上のＬＣＤ付きデジタルスチルカメラ６１は、前述した第１の実施の形態例と同様に、図示しない回路基板、ファンクション切換キーやＩｒＤＡに基づく赤外線通信機能部等を有しており、さらに、同様の画像処理機能を具備している。
【００２８】
以上のような構成のＬＣＤ付きデジタルスチルカメラ６１によれば、携帯時には、ヒンジ部６４の各円柱部を支点として本体部６２及び画面部６３をそれぞれ折り畳むことで、本体部６２の膨出形状の撮像部６５が画面部６３の撮像部収容凹部７６に収容されて、画面部６３のＬＣＤ画面７１が本体部６２と対面して重なり合った折り畳み状態となるため、前述した第１の実施の形態例と同様に、ＬＣＤ画面７１に傷が付かないように保護することができる。
そして、撮像時には、携帯用の折り畳み状態から本体部６２及び画面部６３をヒンジ部６４の各円柱部を支点としてそれぞれ起こして、図９に示したように、携帯時と反対側に本体部６２及び画面部６３をそれぞれ折り畳むことで、本体部６２の撮像部６５を持たない背面側に画面部６３が重なって、その背面側にＬＣＤ画面７１が向いた状態で本体部６２及び画面部６３が折り畳み状態になるため、前述した第１の実施の形態例と同様に、ＬＣＤ画面７１をビューファインダーとして見ながら撮像部６５により撮影が行えて、使い易いものとなっている。
【００２９】
さらに、その他、前述した第１の実施の形態例と同様の効果が得られる。
即ち、撮像部６５は折り畳み構造部に含まないことから、撮像部６５のバックフォーカス（撮影レンズ６６とＣＣＤ６７の距離）を確保することができる。
また、携帯時に傷が付かないようにＬＣＤ画面７１を保護しながら本体部６２に対し画面部６３を折り畳み自在とした構成によって、ＬＣＤ画面７１の大型化も実現できるものとなる。
そして、本体部６２及び画面部６３を折り畳めることから、携帯時の小型化が図れて、携帯性に優れたものとなる。
【００３０】
なお、以上の実施の各形態例においては、ＬＣＤ付きのデジタルスチルカメラとしたが、本発明はこれに限定されるものではなく、ＬＣＤ付きのビデオカメラてもよい。
また、本体部、画面部、ヒンジ部及び回転部等の構造や機構や形状・デザイン等も任意であり、その他、具体的な細部構造等についても適宜に変更可能であることは勿論である。
【００３１】
【発明の効果】
以上のように、請求項１記載の発明に係る電子カメラ装置によれば、折り畳んだ状態の携帯時に表示画面を保護することができ、また、表示画面を撮像部の背面側に向けることができるので撮像時の使い易さが向上する。
また、請求項２記載の発明に係る電子カメラ装置によれば、折り畳んだ状態の携帯時に表示画面を保護することができ、また、撮像部自体は折り畳まないので撮像部のバックフォーカスを確保できる。
【図面の簡単な説明】
【図１】本発明を適用した電子カメラ装置の第１の実施の形態例としての折り畳み式のＬＣＤ付きデジタルスチルカメラを示すもので、携帯用の折り畳み状態を示した正面図である。
【図２】図１のＬＣＤ付きデジタルスチルカメラを周囲から見た状態を示すもので、（ａ）は図１の矢印Ａ方向から示した上面図、（ｂ）は図１の矢印Ｂ方向から示した側面図、（ｃ）は図１の矢印Ｃ方向から示した下面図である。
【図３】図１のＬＣＤ付きデジタルスチルカメラによる撮像時の展開状態を示した側面図である。
【図４】図１のＬＣＤ付きデジタルスチルカメラによる画像処理の制御回路の一例を示したブロック構成図である。
【図５】本発明を適用した電子カメラ装置の第２の実施の形態例としての折り畳み式のＬＣＤ付きデジタルスチルカメラを示すもので、折り畳み状態から展開した状態を示した正面図である。
【図６】図５のＬＣＤ付きデジタルスチルカメラを周囲から見た状態を示すもので、（ａ）は図５の矢印Ａ方向から示した側面図、（ｂ）は図５の矢印Ｂ方向から示した下面図である。
【図７】図５の矢印Ｃ−Ｃ線に沿った概略断面図である。
【図８】図５の矢印Ｄ−Ｄ線に沿った概略断面図である。
【図９】図５のＬＣＤ付きデジタルスチルカメラによる撮像時の折り畳み状態を示した側面図である。
【符号の説明】
１  電子カメラ装置
２  本体部
３  画面部
４  円形固定部
５  円形回転部
６  ヒンジ部
２０  撮像部
２１  撮影レンズ
２２  ＣＣＤ
２３  ＬＣＤ画面
６１  電子カメラ装置
６２  本体部
６３  画面部
６４  ヒンジ部
６５  撮像部
６６  撮影レンズ
６７  ＣＣＤ
７１  ＬＣＤ画面
７６  撮像部収容凹部
【図１】
0004371353.tif 000002
【図２】
0004371353.tif 000003
【図３】
0004371353.tif 000004
【図４】
0004371353.tif 000005
【図５】
0004371353.tif 000006
【図６】
0004371353.tif 000007
【図７】
0004371353.tif 000008
【図８】
0004371353.tif 000009
【図９】
0004371353.tif 000010